【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
ディスペンサを加圧する方法であって、以下の工程：
アクチュエータを回転させる工程；
該アクチュエータを回転させる工程に応答して、ピストン加圧アセンブリの少なくとも一部を回転させる工程；
該回転の工程に応答して、ピストンを線形移動させる工程；および
該ディスペンサを加圧する工程、
を包含する、方法。
【請求項２】
前記回転させる工程が、スピンドルを回転させる工程を包含する、請求項１に記載のディスペンサを加圧する方法。
【請求項３】
前記ピストンを線形移動させる工程が、該ピストンを第一の方向および第二の方向で線形移動させる工程を包含する、請求項１に記載のディスペンサを加圧する方法。
【請求項４】
前記アクチュエータを回転させる工程が、前記第一の方向に対応する回転でアクチュエータを回転させる工程を包含する、請求項３に記載のディスペンサを加圧する方法。
【請求項５】
前記アクチュエータを回転させる工程が、前記第二の方向に対応する逆回転でアクチュエータを回転させる工程を包含する、請求項３に記載のディスペンサを加圧する方法。
【請求項６】
前記ピストンを第一の方向および第二の方向で線形移動させる工程が、該ピストンを、前記ハウジングに対応する第一の方向および該ハウジングに対応する第二の方向で線形移動させる工程を包含する、請求項３に記載のディスペンサを加圧する方法。
【請求項７】
製品供給源から前記ハウジングへと製品を引き込む工程をさらに包含する、請求項３に記載のディスペンサを加圧する方法。
【請求項８】
前記引き込む工程が、前記第一の方向での前記ピストンの線形移動によって提供される、請求項７に記載のディスペンサを加圧する方法。
【請求項９】
前記ハウジングから、該ハウジングと流体連絡するレザバ内へと製品を方向付ける工程をさらに包含する、請求項７に記載のディスペンサを加圧する方法。
【請求項１０】
前記方向付ける工程が、前記第二の方向での前記ピストンの線形移動によって提供される、請求項９に記載のディスペンサを加圧する方法。
【請求項１１】
前記レザバからアクチュエータアセンブリへと製品を引き込む工程をさらに包含する、請求項９に記載のディスペンサを加圧する方法。
【請求項１２】
前記アクチュエータアセンブリから製品を分配する工程をさらに包含する、請求項１１に記載のディスペンサを加圧する方法。
【請求項１３】
前記ピストンを線形移動させる工程が、一重螺旋構成に対応してピストンを線形移動させる工程を包含する、請求項１に記載のディスペンサを加圧する方法。
【請求項１４】
前記ピストンを線形移動させる工程が、前記スピンドルの複数のねじ山および少なくとも１つの溝要素によって規定される螺旋に対応する一重螺旋構成に対応して、ピストンを線形移動させる工程を包含する、請求項１３に記載のディスペンサを加圧する方法。
【請求項１５】
前記ピストンを線形移動させる工程が、二重螺旋構成に対応して、ピストンを線形移動させる工程を包含する、請求項１に記載のディスペンサを加圧する方法。
【請求項１６】
前記ピストンを線形移動させる工程が、スピンドルの複数のねじ山によって規定される螺旋およびアクチュエータアセンブリの複数のねじ山によって規定される螺旋に対応する二重螺旋構成に対応して、ピストンを線形移動させる工程を包含する、請求項１５に記載のディスペンサを加圧する方法。
【請求項１７】
前記ディスペンサを螺旋状に通気させる工程をさらに包含する、請求項１に記載のディスペンサを加圧する方法。
【請求項１８】
前記螺旋状に通気させる工程が、第一の螺旋チャンバを通って螺旋状に通気させる工程を包含する、請求項１７に記載のディスペンサを加圧する方法。
【請求項１９】
前記螺旋状に通気させる工程が、第二の螺旋チャンバを通って螺旋状に通気させる工程を包含する、請求項１８に記載のディスペンサを加圧する方法。
【請求項２０】
前記螺旋状に通気させる工程が、前記ディスペンサの容器に圧力平衡を提供する工程を包含する、請求項１７に記載のディスペンサを加圧する方法。
【請求項２１】
前記螺旋状に通気させる工程が、前記ピストンを線形移動させる工程に対応する圧力平衡を提供する工程を包含する、請求項１７または２０に記載のディスペンサを加圧する方法。
【請求項２２】
前記螺旋状に通気させる工程が、前記スピンドルを回転させる工程に対応する圧力平衡を提供する工程を包含する、請求項１７または２０に記載のディスペンサを加圧する方法。
【請求項２３】
ディスペンサから流体を分配する方法であって、以下の工程：
ピストン加圧アセンブリを回転的に作動させる工程；および
該ピストン加圧アセンブリの少なくとも一部を線形ピストン移動させる工程、
を包含する、方法。
【請求項２４】
前記線形ピストン移動させる工程が、前記回転的に作動させる工程に対応して、前記ピストン加圧アセンブリを線形ピストン移動させる工程を包含する、請求項２３に記載のディスペンサから流体を分配する方法。
【請求項２５】
機械的に加圧されるディスペンサであって、以下：
加圧容量；および
該加圧容量を用いて構成可能な、回転的に作動するピストン加圧アセンブリであって、ここで、該ピストン加圧アセンブリの回転的な作動が、該ピストン加圧アセンブリの少なくとも一部の線形ピストン移動に対応する、ピストン加圧アセンブリ、
を備える、ディスペンサ。
【請求項２６】
前記回転的に作動するピストン加圧アセンブリが、以下：
前記加圧容量を加圧するように構成された、ピストン；および
該ピストンの線形移動を提供するために該ピストンを用いて構成された、スピンドル、
を備える、請求項２５に記載の機械的に加圧されるディスペンサ。
【請求項２７】
前記スピンドルが、前記ピストンを用いて構成され、前記スピンドルの回転が、該ピストンの線形移動に対応する、請求項２６に記載の機械的に加圧されるディスペンサ。
【請求項２８】
前記スピンドルが、前記ピストンと係合するように構成された複数のねじ山を備える、請求項２６に記載の機械的に加圧されるディスペンサ。
【請求項２９】
前記スピンドルが、前記ピストンと一体化している、請求項２６に記載の機械的に加圧されるディスペンサ。
【請求項３０】
前記加圧容量を規定するハウジングをさらに備え、前記ピストン加圧アセンブリの前記線形移動が、該ハウジング内での線形ピストン移動を含む、請求項２５に記載の機械的に加圧されるディスペンサ。
【請求項３１】
前記ピストン加圧アセンブリが、前記ハウジング内での第一の方向および第二の方向の線形移動のために構成されている、請求項３０に記載の機械的に加圧されるディスペンサ。
【請求項３２】
アクチュエータをさらに備え、該アクチュエータの回転的な作動が、前記ピストン加圧アセンブリの線形ピストン移動に対応する、請求項２５に記載の機械的に加圧されるディスペンサ。
【請求項３３】
前記アクチュエータの回転的な作動が、前記ピストン加圧アセンブリの、第一の方向の線形ピストン移動に対応する、請求項３２に記載の機械的に加圧されるディスペンサ。
【請求項３４】
前記加圧容量を規定するハウジングをさらに備え、前記第一の方向が、前記ハウジングに対応する第一の方向である、請求項３３に記載の機械的に加圧されるディスペンサ。
【請求項３５】
前記アクチュエータの逆回転の作動が、前記ピストン加圧アセンブリの、第二の方向の線形ピストン移動に対応する、請求項３３に記載の機械的に加圧されるディスペンサ。
【請求項３６】
前記加圧容量を規定するハウジングをさらに備え、前記第二の方向が、前記ハウジングに対応する第二の方向である、請求項３５に記載の機械的に加圧されるディスペンサ。
【請求項３７】
前記ピストン加圧アセンブリが、前記ピストン加圧アセンブリの第一の方向の線形ピストン移動に対応して、製品を製品供給源から前記ハウジング内に引き込むように構成されている、請求項３０に記載の機械的に加圧されるディスペンサ。
【請求項３８】
前記ハウジングと流体連絡するレザバをさらに備え、ここで、前記ピストン加圧アセンブリが、前記ピストン加圧アセンブリの第二の方向の線形ピストン移動に対応して、製品を該ハウジングから該レザバ内に方向付けるように構成されている、請求項３０または３７に記載の機械的に加圧されるディスペンサ。
【請求項３９】
ディスペンサアセンブリをさらに備え、ここで、該レザバが、該ディスペンサアセンブリと流体連絡し、そして前記ピストン加圧アセンブリが、製品を該レザバから該ディスペンサアセンブリへと引き込むことを可能にするように構成される、請求項３８に記載の機械的に加圧されるディスペンサ。
【請求項４０】
前記回転的に作動するピストン加圧アセンブリが、一重螺旋構成を備える、請求項２５に記載の機械的に加圧されるディスペンサ。
【請求項４１】
前記ピストン加圧アセンブリの回転的な作動が、前記一重螺旋構成に対応する該ピストン加圧アセンブリの線形ピストン移動に対応する、請求項４０に記載の機械的に加圧されるディスペンサ。
【請求項４２】
前記回転的に作動するピストン加圧アセンブリが、以下：
前記加圧体積を加圧するように構成されたピストン；および
該ピストンを備えて構成されたスピンドル、
を備える、請求項４０に記載の機械的に加圧されるディスペンサ。
【請求項４３】
前記ピストンが、少なくとも１つの溝要素を備え、そして前記スピンドルが、複数のねじ山を備え、該溝要素および該複数のねじ山が、第一の螺旋を規定する、請求項４２に記載の機械的に加圧されるディスペンサ。
【請求項４４】
前記回転的に作動するピストン加圧アセンブリが、二重螺旋構成を備える、請求項２５に記載の機械的に加圧されるディスペンサ。
【請求項４５】
前記ピストン加圧アセンブリの回転的な作動が、前記二重螺旋構成に対応する該ピストン加圧アセンブリの線形ピストン移動に対応する、請求項４４に記載の機械的に加圧されるディスペンサ。
【請求項４６】
前記回転的に作動するピストン加圧アセンブリが、以下：
前記加圧体積を加圧するように構成されたピストン；および
該ピストンを備えて構成されたスピンドル、
を備える、請求項４４に記載の機械的に加圧されるディスペンサ。
【請求項４７】
第一の複数のねじ山をさらに備え、前記ピストンが、少なくとも１つの溝要素を備え、そして前記スピンドルが、第二の複数のねじ山を備え、該溝要素および該複数のねじ山が、第一の螺旋を規定し、そして該第一のねじ山が、第二の螺旋を規定する、請求項４６に記載の機械的に加圧されるディスペンサ。
【請求項４８】
機械的に加圧されるディスペンサであって、以下：
ピストン；
該ピストンを備えて構成されるスピンドルであって、該スピンドルの回転が、該ピストンの線形移動に対応する、スピンドル、
を備える、機械的に加圧されるディスペンサ。
【請求項４９】
前記スピンドルが、前記ピストンと一体的である、請求項４８に記載の機械的に加圧されるディスペンサ。
【請求項５０】
前記ピストンおよび前記スピンドルが、単一の螺旋構成を構成し、該スピンドルが、該ピストンを備えて構成され、該スピンドルの回転が、該単一の螺旋構成に対応する該ピストンの線形移動に対応する、請求項４８に記載の機械的に加圧されるディスペンサ。
【請求項５１】
第一の複数のねじ山をさらに備え、前記スピンドルが、第二の複数のねじ山を備え、そして前記ピストン、該スピンドル、および該第一の複数のねじ山が、二重螺旋構成を構成し、該スピンドルが、該ピストンを備えて構成され、該スピンドルの回転が、該二重螺旋構成に対応する該ピストンの線形移動に対応する、請求項４８に記載の機械的に加圧されるディスペンサ。
【請求項５２】
少なくとも１つの螺旋形通気口をさらに備える、請求項４８に記載の機械的に加圧されるディスペンサ。
【請求項５３】
前記少なくとも１つの螺旋形排気口が、第一の螺旋形チャンバおよび第二の螺旋形チャンバを備える、請求項４８に記載の機械的に加圧されるディスペンサ。
【請求項５４】
容器をさらに備え、前記少なくとも１つの螺旋形通気口が、該容器の圧力平衡を提供する、請求項４８に記載の機械的に加圧されるディスペンサ。
【請求項５５】
前記少なくとも１つの螺旋形通気口が、前記ピストンの線形移動に対応する圧力平衡を提供する、請求項４８または５４に記載の機械的に加圧されるディスペンサ。
【請求項５６】
前記少なくとも１つの螺旋形通気口が、前記スピンドルの回転に対応する圧力平衡を提供する、請求項４８または５４に記載の機械的に加圧されるディスペンサ。
【手続補正２】
【補正対象書類名】明細書
【補正対象項目名】００１５
【補正方法】変更
【補正の内容】
【００１５】
本発明のシステムの特定の目的は、非化学エアロゾルディスペンサが化学加圧エアロゾルディスペンサの代替物として広範に受入れられることが現在まで妨げられていた問題の実質的に全てを解決することである。
本発明は、製品を分配するための、機械的に加圧されたシステムを提供し、このシステムは、以下：
アクチュエータアセンブリであって、該アクチュエータアセンブリは、該製品を分配するための出口を有するアクチュエータ、該製品を該出口へと選択的に経路決めするための弁、および該弁と接続するアクチュエータハウジングをさらに備え、該アクチュエータは、起動機構をさらに有し、該起動機構は、トリガされると、該製品を、強制的に、まず該弁に通し、次いで該出口に通す、アクチュエータアセンブリ；
ピストンアセンブリであって、該ピストンアセンブリは、ピストンハウジングをさらに備え、該ピストンハウジングは、該製品を該ピストンハウジングに引き込むための入口をさらに備え、そして該ピストンハウジングは、スピンドルと組み合わせてピストンをさらに受容し得、そして該スピンドルは、内壁および外壁を備え、該外壁は、該スピンドルと組み合わせた該ピストンがピストンカラー内を線形移動することを可能にする、一連のねじ山をさらに備え、そして該ピストンカラーは、該ピストンハウジングを接続可能に係合し得、そして該ピストンアセンブリは、カラーキャップをさらに備え、そして該カラーキャップは、該ピストンカラーを据え付け得、該カラーキャップは、さらに、該ピストンハウジングを接続可能に係合し得、そして該ピストンアセンブリは、該アクチュエータアセンブリを接続可能に係合するための手段をさらに備える、ピストンアセンブリ；ならびに
該ピストンハウジングと流体連絡した、拡張抵抗性レザバ、
を備える。
１つの実施形態において、前記システムが、前記カラーキャップに密封可能に接続される容器をさらに備える。
１つの実施形態において、前記製品を分配するための前記出口が、開口部をさらに備える。
１つの実施形態において、前記弁が、弁棒シールおよびばね弁保持装置をさらに備え、該弁棒シールは、前記アクチュエータ内に据え付けられ、そしてさらに、該ばね弁保持装置を接続可能に係合し得る。
１つの実施形態において、前記入口が、ポートを備える。
１つの実施形態において、前記ポートが、浸漬管の上端部に密封可能に接続され得、該浸漬管が、下端部をさらに備え、その結果、該浸漬管が前記容器内に下向きに延びる場合に、該浸漬管の下端部が前記製品と流体連絡する。
１つの実施形態において、前記ピストンハウジングが、前記ピストンカラーに密封可能に接続される。
１つの実施形態において、前記ピストンハウジングが、前記レザバに密封可能に接続される。
１つの実施形態において、前記システムが、少なくとも１つの通気口をさらに備え、該通気口は、該システムが、前記製品の分配に続いて該システム内への周囲空気の流入を容易にすることによって、平衡を回復することを可能にする。
１つの実施形態において、前記レザバが、エラストマーブラダーである。
１つの実施形態において、前記システムが、オーバーキャップをさらに備え、そして該オーバーキャップ、前記弁棒シール、前記ばね弁保持装置、前記アクチュエータハウジング、前記カラーキャップ、前記ピストンカラー、前記スピンドル、前記ピストン、前記ピストンハウジングおよび前記容器が、共通の軸の周りで実質的に対称的に配置されている。
１つの実施形態において、前記起動機構が、起動ボタンであり、該起動ボタンは、押下されると、前記アクチュエータアセンブリの前記出口を通しての、前記製品の放出をトリガする。
１つの実施形態において、前記ピストンカラーが、本質的に円形であり、そして外側壁および内側壁をさらに備え、該内側壁は、一連の溝をさらに備える。
１つの実施形態において、前記ピストカラー内での前記スピンドルの線形移動が、該スピンドルの前記一連のねじ山と、該ピストンカラーの前記一連の溝との間の相互作用による。
１つの実施形態において、前記アクチュエータハウジングおよび前記カラーキャップが、両方、実質的に円形であり、そしてさらに、該アクチュエータハウジングおよび該カラーキャップが、各々が共通の軸の周りで時計回り方向と反時計回り方向との両方で回転し得るような様式で接続されている。
１つの実施形態において、前記スピンドルの前記線形移動が、前記カラーキャップの逆方向での回転、または該カラーキャップもしくは前記容器のいずれかに付与される逆方向の力の回転のいずれかと同時の、一方向での前記アクチュエータハウジングの回転によって開始し、該逆方向の力が、該カラーキャップまたは該容器の回転を制限するために十分である。
１つの実施形態において、前記アクチュエータハウジングの第一の回転および同時の前記カラーキャップの第一の回転または該カラーキャップもしくは前記容器への前記逆方向の力の付与が、強制的に、前記ピストンおよび前記スピンドルを、前記ピストンハウジングを通して上向きに線形移動させ、これによって、前記ピストンハウジング内へと製品を液圧式に引き込む。
１つの実施形態において、前記アクチュエータハウジングの第二の回転および同時の前記カラーキャップの第二の回転または該カラーキャップもしくは前記容器のいずれかへの前記逆方向の力の付与が、強制的に、前記ピストンおよび前記スピンドルを、前記ピストンハウジングを通して下向きに線形移動させ、これによって、前記レザバ内へと製品を液圧式に押し込む。
１つの実施形態において、前記アクチュエータハウジングが、外側表面を有することによってさらに規定され、そして前記カラーキャップが、外側表面を有することによってさらに規定され、そして各々の該外側表面が、回転を容易にするために把持性を高めるための、表面変化をさらに備える。
１つの実施形態において、前記スピンドルが、前記一連のねじ山の各々の特定のピッチ、および該一連のねじ山の各々の間の特定の距離によってさらに規定される。
１つの実施形態において、前記スピンドルの一連のねじ山の各々の特定のピッチ、および該スピンドルの一連のねじ山の各々の間の特定の距離が、両方、前記ピストンハウジングに引き込まれる製品の量、および前記レザバに押し込まれる製品の量を変化させるために変動され得る。
１つの実施形態において、前記ピストンカラーの前記内側壁の前記一連の溝が、ピッチを有する各溝によってさらに規定され、そしてまたさらに、該一連の溝の各々の間の距離を有することによって規定され、ここで、該一連の溝のピッチおよび各溝の間の距離が、前記ピストンハウジングに引き込まれる製品の量および前記レザバに押し込まれる製品の量を変化させるために変動され得る。
１つの実施形態において、前記ピストンが、直径および長さによってさらに規定され、そして該ピストンの該直径および該長さが、前記ピストンハウジングに引き込まれる製品の量および前記レザバに押し込まれる製品の量を変化させるために変動され得る。
１つの実施形態において、前記エラストマーブラダーが、材料、体積、および幾何学的形状によってさらに規定される。
１つの実施形態において、前記エラストマーブラダーの前記材料、前記体積、および／または前記幾何学的形状が、分配される製品の量を変化させるために変動され得る。
１つの実施形態において、前記アクチュエータハウジングが、内壁および外壁、ならびに該内壁と該外壁との間に配置される中間壁を有する。
１つの実施形態において、前記アクチュエータハウジングの前記中間壁が、一連の溝をさらに備え、これによって、前記スピンドルの前記一連のねじ山と組み合わせられる場合に、前記ピストンのさらなる線形移動を可能にする。
１つの実施形態において、前記ピストンおよび前記スピンドルが、密封可能に組み合わせられて、第一の単一の構成要素を形成する。
１つの実施形態において、前記ピストンカラーおよび前記カラーキャップが、密封可能に組み合わせられて、第二の単一の構成要素を形成する。
別の局面において、本発明は、製品を分配するための、機械的に加圧されたシステムを手教師、このシステムは、以下：
アクチュエータアセンブリであって、該アクチュエータアセンブリは、以下：
アクチュエータであって、該アクチュエータは、出口開口部、および該出口開口部を通しての該製品の分配をトリガするための起動機構をさらに備える、アクチュエータ；
弁であって、該弁は、弁棒シールおよびばね弁保持装置をさらに備え、該弁棒シールは、該アクチュエータ内に据え付けられ、そして該弁棒シールは、さらに、該ばね弁保持装置と接続可能に係合しており、該弁は、第一の位置および第二の位置をさらに有し、該第一の位置において、一旦係合すると、該製品が該出口開口部に流れ得ず、そして該第二の位置において、一旦係合すると、該製品は該出口開口部に流れ得、そして該弁は、該起動機構と連絡しており、その結果、該起動機構がトリガされると、弁手段の該第二の位置が選択され、そして該製品が該出口開口部に流れ得る、弁；ならびに
アクチュエータハウジングであって、該アクチュエータハウジングは、実質的に円形であり、そして少なくとも実質的に円形の内壁および実質的に円形の外壁をさらに備え、該内壁は、該ばね弁保持装置を受容し得る環状空間を規定する、アクチュエータハウジング；
を備える、アクチュエータアセンブリ；
ピストンアセンブリであって、該ピストンアセンブリは、以下：
ピストンであって、該ピストンは、さらに、長さおよび直径を有すると規定され、そして該ピストンは、スピンドルと組み合わせられており、該スピンドルは、内壁および外壁を有し、該外壁は、一連のねじ山をさらに備える、ピストン；
ピストンハウジングであって、該ピストンハウジングは、該ピストンの該直径より少なくともわずかに大きい直径を有し、その結果、該ピストンハウジングは、該スピンドルと組み合わせて該ピストンを収容し得、該ピストンハウジングは、入口開口部をさらに備える、ピストンハウジング；
実質的に円形のピストンカラーであって、該ピストンカラーは、外壁および内壁をさらに備え、該内壁は、一連の溝をさらに備え、該ピストンカラーの該一連の溝は、該スピンドルの該一連のねじ山と係合して、該ピストンカラー内での該スピンドルの線形移動を発生させる、ピストンカラー；ならびに
カラーキャップであって、該カラーキャップは、実質的に円形であり、そして少なくとも実質的に円形の内壁および実質的に円形の外壁をさらに備え、該内壁は、一連の溝をさらに備え、該カラーキャップは、さらに、該ピストンカラーと接続可能に係合し得、そしてまた、該ピストンハウジングと接続可能に係合し得、そして該カラーキャップは、さらに、該アクチュエータハウジングと接続可能に係合し得る、カラーキャップ；
を備える、ピストンアセンブリ；ならびに
該ピストンハウジングと流体連絡している、拡張抵抗性レザバ、
を備える。
１つの実施形態において、前記システムが、容器をさらに備え、該容器が、一連のねじ山をさらに備え、その結果、該容器の該一連のねじ山および前記カラーキャップの前記一連のねじ山が係合して、密封可能な接続を作製する。
１つの実施形態において、前記ピストンハウジングの前記入口開口部が、浸漬管の上端部に密封可能に接続されており、該浸漬管が、下端部をさらに有し、該浸漬管は、前記容器内に下向きに延び、その結果、該下端部が、前記製品と流体連絡する。
１つの実施形態において、前記システムが、オーバーキャップをさらに備え、該オーバーキャップが、前記アクチュエータハウジングに密封可能に接続され、そして該オーバーキャップ、前記アクチュエータ、前記弁、該アクチュエータハウジング、前記ピストン、前記スピンドル、前記ピストンハウジング、前記ピストンカラー、前記カラーキャップ、前記レザバおよび前記容器が、共通の軸の周りで実質的に対称的に配置されている。
１つの実施形態において、前記アクチュエータハウジングおよび前記カラーキャップが、各々が共通の軸の周りで時計回り方向と反時計回り方向との両方で回転し得るような様式で接続されている。
１つの実施形態において、第一の回転力が、前記アクチュエータハウジングに付与され、そして第一の逆方向の回転力が、前記カラーキャップまたは前記容器のいずれかに付与される場合、前記スピンドルの前記一連のねじ山が、前記ピストンカラーの前記一連の溝に沿って線形移動して、前記ピストンを該ピストンハウジングを通して上向きに線形移動させ、これによって、製品を該ピストンハウジング内に液圧式に引き込む。
１つの実施形態において、第二の回転力が、前記アクチュエータハウジングに、前記第一の回転力とは逆の方向で付与され、そして第二の逆方向の力が、前記カラーキャップまたは前記容器のいずれかに付与される場合、前記スピンドルの前記一連のねじ山が、前記ピストンカラーの前記一連の溝に沿って線形移動して、前記ピストンを、該ピストンハウジングを通して下向きに線形移動させ、これによって、製品を前記レザバに液圧的に押し込む。
１つの実施形態において、前記アクチュエータハウジングの前記外壁および前記カラーキャップの前記外壁が、各々、把持性を増すための表面変化をさらに備える。
１つの実施形態において、前記スピンドルの前記一連のねじ山および前記カラーキャップの前記一連の溝が、各々、各ねじ山または溝の特定のピッチ、および各ねじ山間または溝間の特定の距離によってさらに規定され、そして該スピンドルの該一連のねじ山または該ピストンカラーの該一連の溝のいずれかの、各特定のピッチおよび／または各特定の距離が、前記アクチュエータハウジングおよび該カラーキャップまたは前記容器のいずれかに付与される前記第一の回転力および前記第二の回転力によって発生する線形移動の量を変化させるために変動され得る。
１つの実施形態において、前記ピストンの長さまたは該ピストンの穴の直径が、前記ピストンハウジングに引き込まれる製品の量および前記レザバに押し込まれる製品の量を変化させるために変動され得る。
１つの実施形態において、前記レザバが、エラストマーブラダーであり、該エラストマーブラダーが、材料、体積、および幾何学的形状によってさらに規定され、そして該エラストマーブラダーの該材料、該体積、および／または該幾何学的形状が、分配される製品の量を変化させるために変動され得る。
１つの実施形態において、前記アクチュエータハウジングが、前記内壁と前記外壁との間に配置された実質的に円形の中間壁を有し、そして該中間壁が、一連の内側溝をさらに備え、前記ピストンカラーの前記一連の溝を通過しての前記スピンドルのさらなる線形移動を可能にする。
１つの実施形態において、前記ピストンおよび前記スピンドルが、組み合わせられて、第一の単一の構成要素を形成する。
１つの実施形態において、前記ピストンカラーおよび前記カラーキャップが、組み合わせられて、第二の単一の構成要素を形成する。
別の局面において、本発明は、加圧された分配システムの加圧アセンブリを提供し、このアセンブリは、以下：
第一のアセンブリであって、以下：
キャップ；
該キャップの近くに構成されるハウジング；
該ハウジングに構成されるピストン；
該ピストンと係合するよう構成されており、そして複数のねじ山を有する、スピンドル；および
複数の溝を有するカラーであって、該スピンドルの該ねじ山が、該カラーに対する該スピンドルの回転の際に、該カラーの該溝と係合して、該ハウジング内での該ピストンの線形移動を提供するよう構成されている、カラー；
を備える、第一のアセンブリ；ならびに
第二のアセンブリであって、該第一のアセンブリに係合するアクチュエータを備える、第二のアセンブリ、
を備える。
１つの実施形態において、前記カラーが、前記溝を備える内壁を有する。
１つの実施形態において、前記ピストンが、前記ハウジング内で、第一の方向および第二の方向で線形移動するよう構成されている。
１つの実施形態において、前記ピストンが、前記第一のアセンブリに対する前記アクチュエータの回転の際に線形移動して、前記カラーに対する前記スピンドルの回転および前記ピストンの前記第一の方向での線形移動を提供するよう構成されている。
１つの実施形態において、前記ピストンが、前記第一のアセンブリに対する前記アクチュエータの逆回転の際に線形移動して、前記カラーに対する前記スピンドルの回転、および前記ピストンの前記第二の方向での線形移動を提供するよう構成されている。
１つの実施形態において、前記第一の方向が、前記ハウジングに対して上向きの方向であり、そして前記第二の方向が、該ハウジングに対して下向きの方向である。
１つの実施形態において、前記ピストンが、前記第一の方向での該ピストンの前記線形移動によって、製品を製品供給源から前記第一のアセンブリ内へと引き込むように構成されている。
１つの実施形態において、前記ハウジングと流体連絡したレザバをさらに備え、そして前記ピストンが、前記第二の方向での該ピストンに前記線形の移動によって、製品を前記第一のアセンブリから該レザバ内へと指向するよう構成されている。
１つの実施形態において、前記第二のアセンブリが、前記レザバと流体連絡しており、そして前記レザバから該第二のアセンブリへと製品を引き込むよう構成されている。
１つの実施形態において、前記第二のアセンブリが、製品を分配するよう構成されている。
１つの実施形態において、前記カラーが、前記キャップに構成されている。
１つの実施形態において、前記カラーが、前記キャップと一体的である。
１つの実施形態において、前記スピンドルが、前記ピストンと一体的である。
１つの実施形態において、前記スピンドルの前記ねじ山および前記カラーの前記ねじ山が、第一の螺旋を規定する。
１つの実施形態において、前記第一の螺旋が、一重螺旋構成を規定し、そして前記ピストンが、該一重螺旋構成に対応する、前記ハウジング内での線形移動のために構成されている。
１つの実施形態において、前記第二のアセンブリが、複数のねじ山を有する壁をさらに備え、該壁の該ねじ山が、第二の螺旋を規定し、前記第一の螺旋および該第二の螺旋が、二重螺旋構成を規定する。
１つの実施形態において、前記壁の前記ねじ山が、前記第一のアセンブリと係合するよう構成されている。
１つの実施形態において、前記ピストンが、前記二重螺旋構成に対応する、前記ハウジング内での線形移動のために構成されている。
１つの実施形態において、前記ピストンが、前記第一のアセンブリに対する前記アクチュエータの回転の際に、前記ハウジング内で線形移動するよう構成されている。
１つの実施形態において、前記ピストンが、前記カラーに対する前記スピンドルの回転の際に線形移動するよう構成されている。
別の局面において、本発明は、加圧アセンブリを提供し、このアセンブリは、以下：
ピストン；
該ピストンに係合するよう構成されており、そして複数のねじ山を有する、スピンドル；
複数の溝を有するカラーであって、該スピンドルの該ねじ山が、該カラーの該溝に係合し、該カラーに対する該スピンドルの回転の際に、該ピストンの線形移動を提供するよう構成されている、カラー、
を備える。
別の局面において、本発明は、分配システムを加圧する方法を提供し、この方法は、以下の工程：
アクチュエータを回転させる工程；
スピンドルの複数のねじ山のうちの少なくとも１つを、カラーの複数の溝のうちの少なくとも１つと係合させる工程；
該アクチュエータを回転させる該工程に応答して、該スピンドルを該カラーに対して回転させる工程；
該スピンドルを回転させる該工程に応答して、ハウジング内でピストンを線形移動させる工程；および
該分配システムを加圧する工程、
を包含する。
１つの実施形態において、前記ピストンを線形移動させる前記工程が、該ピストンを第一の方向および第二の方向で線形移動させる工程を包含する。
１つの実施形態において、前記アクチュエータを回転させる前記工程が、前記第一の方向に対応する回転で該アクチュエータを回転させる工程を包含する。
１つの実施形態において、前記アクチュエータを回転させる前記工程が、前記第二の方向に対応する逆回転で該アクチュエータを回転させる工程を包含する。
１つの実施形態において、前記ピストンを前記第一の方向および前記第二の方向で線形移動させる前記工程が、該ピストンを、前記ハウジングに対して上向きの方向および該ハウジングに対して下向きの方向で線形移動させる工程を包含する。
１つの実施形態において、製品供給源から前記ハウジングへと製品を引き込む工程をさらに包含する。
１つの実施形態において、前記引き込む工程が、前記第一の方向での前記ピストンの線形移動によって提供される。
１つの実施形態において、前記ハウジングから、該ハウジングと流体連絡するレザバ内へと製品を指向す工程をさらに包含する。
１つの実施形態において、前記指向する工程が、前記第二の方向での前記ピストンの線形移動によって提供される。
１つの実施形態において、前記レザバからアクチュエータアセンブリへと製品を引き込む工程をさらに包含する。
１つの実施形態において、前記アクチュエータアセンブリから製品を分配する工程をさらに包含する。
１つの実施形態において、前記ピストンを線形移動させる前記工程が、前記ねじ山および前記溝によって規定される螺旋に対応する一重螺旋構成に対応して、前記ピストンを線形移動させる工程を包含する。
１つの実施形態において、前記ピストンを線形移動させる前記工程が、前記スピンドルの前記ねじ山および前記溝によって規定される螺旋およびアクチュエータアセンブリのねじ山によって規定される螺旋に対応する二重螺旋構成に対応して、該ピストンを線形移動させる工程を包含する。
別の局面において、本発明は、分配システムを加圧する方法を提供し、この方法は、以下の工程：
アクチュエータを回転させる工程；
該アクチュエータを回転させる該工程に応答して、スピンドルを回転させる工程；
該スピンドルを回転させる該工程に応答して、ピストンを線形移動させる工程；および
該分配システムを加圧する工程、
を包含する。
別の局面において、本発明は、ディスペンサを加圧する方法を提供し、この方法は、以下の工程：
アクチュエータを回転させる工程；
該アクチュエータを回転させる工程に応答して、ピストン加圧アセンブリの少なくとも一部を回転させる工程；
該回転の工程に応答して、ピストンを線形移動させる工程；および
該ディスペンサを加圧する工程、
を包含する。
１つの実施形態において、前記回転させる工程が、スピンドルを回転させる工程を包含する。
１つの実施形態において、前記ピストンを線形移動させる工程が、該ピストンを第一の方向および第二の方向で線形移動させる工程を包含する。
１つの実施形態において、前記アクチュエータを回転させる工程が、前記第一の方向に対応する回転でアクチュエータを回転させる工程を包含する。
１つの実施形態において、前記アクチュエータを回転させる工程が、前記第二の方向に対応する逆回転でアクチュエータを回転させる工程を包含する。
１つの実施形態において、前記ピストンを第一の方向および第二の方向で線形移動させる工程が、該ピストンを、前記ハウジングに対応する第一の方向および該ハウジングに対応する第二の方向で線形移動させる工程を包含する。
１つの実施形態において、製品供給源から前記ハウジングへと製品を引き込む工程をさらに包含する。
１つの実施形態において、前記引き込む工程が、前記第一の方向での前記ピストンの線形移動によって提供される。
１つの実施形態において、前記ハウジングから、該ハウジングと流体連絡するレザバ内へと製品を方向付ける工程をさらに包含する。
１つの実施形態において、前記方向付ける工程が、前記第二の方向での前記ピストンの線形移動によって提供される。
１つの実施形態において、前記レザバからアクチュエータアセンブリへと製品を引き込む工程をさらに包含する。
１つの実施形態において、前記アクチュエータアセンブリから製品を分配する工程をさらに包含する。
１つの実施形態において、前記ピストンを線形移動させる工程が、一重螺旋構成に対応してピストンを線形移動させる工程を包含する。
１つの実施形態において、前記ピストンを線形移動させる工程が、前記スピンドルの複数のねじ山および少なくとも１つの溝要素によって規定される螺旋に対応する一重螺旋構成に対応して、ピストンを線形移動させる工程を包含する。
１つの実施形態において、前記ピストンを線形移動させる工程が、二重螺旋構成に対応して、ピストンを線形移動させる工程を包含する。
１つの実施形態において、前記ピストンを線形移動させる工程が、スピンドルの複数のねじ山によって規定される螺旋およびアクチュエータアセンブリの複数のねじ山によって規定される螺旋に対応する二重螺旋構成に対応して、ピストンを線形移動させる工程を包含する。
１つの実施形態において、前記ディスペンサを螺旋状に通気させる工程をさらに包含する。
１つの実施形態において、前記螺旋状に通気させる工程が、第一の螺旋チャンバを通って螺旋状に通気させる工程を包含する。
１つの実施形態において、前記螺旋状に通気させる工程が、第二の螺旋チャンバを通って螺旋状に通気させる工程を包含する。
１つの実施形態において、前記螺旋状に通気させる工程が、前記ディスペンサの容器に圧力平衡を提供する工程を包含する。
１つの実施形態において、前記螺旋状に通気させる工程が、前記ピストンを線形移動させる工程に対応する圧力平衡を提供する工程を包含する。
１つの実施形態において、前記螺旋状に通気させる工程が、前記スピンドルを回転させる工程に対応する圧力平衡を提供する工程を包含する。
別の局面において、本発明は、ディスペンサから流体を分配する方法を手教師、この方法は、以下の工程：
ピストン加圧アセンブリを回転的に作動させる工程；および
該ピストン加圧アセンブリの少なくとも一部を線形ピストン移動させる工程、
を包含する。
１つの実施形態において、前記線形ピストン移動させる工程が、前記回転的に作動させる工程に対応して、前記ピストン加圧アセンブリを線形ピストン移動させる工程を包含する。
別の局面において、本発明は、機械的に加圧されるディスペンサを提供し、このディスペンサは、以下：
加圧容量；および
該加圧容量を用いて構成可能な、回転的に作動するピストン加圧アセンブリであって、ここで、該ピストン加圧アセンブリの回転的な作動が、該ピストン加圧アセンブリの少なくとも一部の線形ピストン移動に対応する、ピストン加圧アセンブリ、
を備える。
１つの実施形態において、前記回転的に作動するピストン加圧アセンブリが、以下：
前記加圧容量を加圧するように構成された、ピストン；および
該ピストンの線形移動を提供するために該ピストンを用いて構成された、スピンドル、
を備える。
１つの実施形態において、前記スピンドルが、前記ピストンを用いて構成され、前記スピンドルの回転が、該ピストンの線形移動に対応する。
１つの実施形態において、前記スピンドルが、前記ピストンと係合するように構成された複数のねじ山を備える。
１つの実施形態において、前記スピンドルが、前記ピストンと一体化している。
１つの実施形態において、前記加圧容量を規定するハウジングをさらに備え、前記ピストン加圧アセンブリの前記線形移動が、該ハウジング内での線形ピストン移動を含む。
１つの実施形態において、前記ピストン加圧アセンブリが、前記ハウジング内での第一の方向および第二の方向の線形移動のために構成されている。
１つの実施形態において、アクチュエータをさらに備え、該アクチュエータの回転的な作動が、前記ピストン加圧アセンブリの線形ピストン移動に対応する。
１つの実施形態において、前記アクチュエータの回転的な作動が、前記ピストン加圧アセンブリの、第一の方向の線形ピストン移動に対応する。
１つの実施形態において、前記加圧容量を規定するハウジングをさらに備え、前記第一の方向が、前記ハウジングに対応する第一の方向である。
１つの実施形態において、前記アクチュエータの逆回転の作動が、前記ピストン加圧アセンブリの、第二の方向の線形ピストン移動に対応する。
１つの実施形態において、前記加圧容量を規定するハウジングをさらに備え、前記第二の方向が、前記ハウジングに対応する第二の方向である。
１つの実施形態において、前記ピストン加圧アセンブリが、前記ピストン加圧アセンブリの第一の方向の線形ピストン移動に対応して、製品を製品供給源から前記ハウジング内に引き込むように構成されている。
１つの実施形態において、前記ハウジングと流体連絡するレザバをさらに備え、ここで、前記ピストン加圧アセンブリが、前記ピストン加圧アセンブリの第二の方向の線形ピストン移動に対応して、製品を該ハウジングから該レザバ内に方向付けるように構成されている。
１つの実施形態において、ディスペンサアセンブリをさらに備え、ここで、該レザバが、該ディスペンサアセンブリと流体連絡し、そして前記ピストン加圧アセンブリが、製品を該レザバから該ディスペンサアセンブリへと引き込むことを可能にするように構成される。
１つの実施形態において、前記回転的に作動するピストン加圧アセンブリが、一重螺旋構成を備える。
１つの実施形態において、前記ピストン加圧アセンブリの回転的な作動が、前記一重螺旋構成に対応する該ピストン加圧アセンブリの線形ピストン移動に対応する。
１つの実施形態において、前記回転的に作動するピストン加圧アセンブリが、以下：
前記加圧体積を加圧するように構成されたピストン；および
該ピストンを備えて構成されたスピンドル、
を備える。
１つの実施形態において、前記ピストンが、少なくとも１つの溝要素を備え、そして前記スピンドルが、複数のねじ山を備え、該溝要素および該複数のねじ山が、第一の螺旋を規定する。
１つの実施形態において、前記回転的に作動するピストン加圧アセンブリが、二重螺旋構成を備える。
１つの実施形態において、前記ピストン加圧アセンブリの回転的な作動が、前記二重螺旋構成に対応する該ピストン加圧アセンブリの線形ピストン移動に対応する。
１つの実施形態において、前記回転的に作動するピストン加圧アセンブリが、以下：
前記加圧体積を加圧するように構成されたピストン；および
該ピストンを備えて構成されたスピンドル、
を備える。
１つの実施形態において、第一の複数のねじ山をさらに備え、前記ピストンが、少なくとも１つの溝要素を備え、そして前記スピンドルが、第二の複数のねじ山を備え、該溝要素および該複数のねじ山が、第一の螺旋を規定し、そして該第一のねじ山が、第二の螺旋を規定する。
別の局面において、本発明は、機械的に加圧されるディスペンサを提供し、このディスペンサは、以下：
ピストン；
該ピストンを備えて構成されるスピンドルであって、該スピンドルの回転が、該ピストンの線形移動に対応する、スピンドル、
を備える。
１つの実施形態において、前記スピンドルが、前記ピストンと一体的である。
１つの実施形態において、前記ピストンおよび前記スピンドルが、単一の螺旋構成を構成し、該スピンドルが、該ピストンを備えて構成され、該スピンドルの回転が、該単一の螺旋構成に対応する該ピストンの線形移動に対応する。
１つの実施形態において、第一の複数のねじ山をさらに備え、前記スピンドルが、第二の複数のねじ山を備え、そして前記ピストン、該スピンドル、および該第一の複数のねじ山が、二重螺旋構成を構成し、該スピンドルが、該ピストンを備えて構成され、該スピンドルの回転が、該二重螺旋構成に対応する該ピストンの線形移動に対応する。
１つの実施形態において、少なくとも１つの螺旋形通気口をさらに備える。
１つの実施形態において、前記少なくとも１つの螺旋形排気口が、第一の螺旋形チャンバおよび第二の螺旋形チャンバを備える。
１つの実施形態において、容器をさらに備え、前記少なくとも１つの螺旋形通気口が、該容器の圧力平衡を提供する。
１つの実施形態において、前記少なくとも１つの螺旋形通気口が、前記ピストンの線形移動に対応する圧力平衡を提供する。
１つの実施形態において、前記少なくとも１つの螺旋形通気口が、前記スピンドルの回転に対応する圧力平衡を提供する。
別の局面において、本発明は、ディスペンサ加圧アセンブリを提供し、このアセンブリは、以下：
ピストン；
該ピストンを備えて構成されるスピンドル；および
該スピンドルの回転の際に該ピストンの線形移動を提供するための、該スピンドルを備えて構成されたカラー、
を備える。
１つの実施形態において、前記カラーが、少なくとも１つの溝要素を備える。
１つの実施形態において、前記スピンドルが、複数のねじ山を備える。
１つの実施形態において、前記複数のねじ山が、前記少なくとも１つの溝要素と係合するように構成されている。
１つの実施形態において、前記複数のねじ山が、前記少なくとも１つの溝要素と係合して、前記スピンドルの回転の際に前記ピストンの線形移動を提供するように構成されている。
１つの実施形態において、ハウジングをさらに備え、前記ピストンが、該ハウジング内での線形移動のために構成されている。
１つの実施形態において、アクチュエータをさらに備え、前記ピストンが、該アクチュエータの回転の際の線形移動のために構成されている。
１つの実施形態において、前記ピストンが、前記ハウジング内での第一の方向および第二の方向での線形移動のために構成されている。
１つの実施形態において、前記ピストンが、前記スピンドルの回転に対応する前記アクチュエータの回転の際の、線形移動のために構成されている。
１つの実施形態において、前記ピストンが、前記スピンドルの回転に対応する前記アクチュエータの回転の際の、第一の方向での線形移動のために構成されている。
１つの実施形態において、前記ピストンが、前記スピンドルの回転に対応する前記アクチュエータの逆回転の際の線形移動のために構成されている。
１つの実施形態において、前記ピストンが、前記スピンドルの回転に対応する前記アクチュエータの逆回転の際の、第二の方向での線形移動のために構成されている。
１つの実施形態において、前記ピストンが、前記アクチュエータの逆回転の際の線形移動のために構成されている。
１つの実施形態において、前記ピストンが、前記スピンドルの回転に対応する前記アクチュエータの回転の際の、第一の方向での線形移動のために構成されており、そして該スピンドルの回転に対応する該アクチュエータの逆回転の際の、第二の方向での線形移動のために構成されている。
１つの実施形態において、少なくとも１つの螺旋形通気口をさらに備える。
１つの実施形態において、前記少なくとも１つの螺旋形通気口が、第一の螺旋チャンバおよび第二の螺旋チャンバを備える。
１つの実施形態において、容器をさらに備え、前記少なくとも１つの螺旋形通気口が、該容器の圧力平衡を提供する。
１つの実施形態において、前記少なくとも１つの螺旋形通気口が、前記ピストンの線形移動に対応する圧力平衡を提供する。
１つの実施形態において、前記少なくとも１つの螺旋形通気口が、前記スピンドルの回転に対応する圧力平衡を提供する。
１つの実施形態において、前記第一の方向が、前記ハウジングに対応する第一の方向であり、そして前記第二の方向が、該ハウジングに対応する第二の方向である。
１つの実施形態において、前記ピストンが、第一の方向での該ピストンの線形移動に対応して、製品を、製品供給源から前記ハウジング内へと引き込むように構成されている。
１つの実施形態において、前記ハウジングと流体連絡するレザバをさらに備え、そして前記ピストンが、第二の方向での該ピストンの線形移動に対応して、前記ハウジングから該レザバ内へと製品を方向付けるように構成されている。
１つの実施形態において、前記レザバが、アクチュエータアセンブリと流体連絡しており、そして前記加圧アセンブリが、該レザバから該アクチュエータアセンブリへと製品が引き込まれることを可能にするように構成されている。
１つの実施形態において、前記カラーが、前記ディスペンサのキャップ要素を備えて構成されている。
１つの実施形態において、前記カラーが、前記キャップ要素と一体的である。
１つの実施形態において、前記スピンドルが、前記ピストンと一体的である。
１つの実施形態において、前記スピンドルの前記ねじ山と、前記カラーの前記少なくとも１つの溝要素とが、第一の螺旋を規定する。
１つの実施形態において、前記第一の螺旋が、単一螺旋構成を規定し、そして前記ピストンが、該単一螺旋構成に対応する線形移動のために構成されている。
１つの実施形態において、複数のねじ山を有するアクチュエータアセンブリをさらに備え、前記第一の螺旋が、二重螺旋構成を規定し、該アクチュエータアセンブリの該複数のねじ山が、第二の螺旋を規定している。
１つの実施形態において、前記ピストンが、前記二重螺旋構成に対応する線形移動のために構成されている。
１つの実施形態において、アクチュエータをさらに備え、前記ピストンが、該アクチュエータの回転の際の線形移動のために構成されている。
１つの実施形態において、前記ピストンが、前記スピンドルの回転の際の線形移動のために構成されている。
別の局面において、本発明は、ディスペンサ加圧アセンブリを提供し、このアセンブリは、以下：
ピストン；
該ピストンを備えて構成されるスピンドルであって、該スピンドルの回転が、該ピストンの線形移動に対応する、スピンドル、
を備える。
別の局面において、本発明は、流体をディスペンサから分配する方法を提供し、この方法は、以下の工程：
アクチュエータを回転させる工程；
該アクチュエータを回転させる工程に応答して、スピンドルを回転させる工程；
該スピンドルを回転させる工程に応答して、ピストンを線形移動させる工程；
該ディスペンサを加圧する工程；および
流体を該ディスペンサから分配する工程、
を包含する。